(57)【要約】【課題】渦電流探傷装置において、渦電流探傷プローブによって検出されるキズ信号に含まれるノイズを低減すること。【解決手段】励磁コイルＥＣを励磁電源１１により励磁し、検出コイルＤＣに誘起した検出信号を同期検波器２２により検波する。ローパスフィルタ２５は、検波出力からキズ信号（ノイズを含む）を取り出し、その一部は直接ノイズ除去回路２７へ供給し、他はオールパスフィルタ２５、振幅調整回路２６を介してノイズ除去回路２７へ供給する。オールパスフィルタ２５は、ノイズの位相を１８０度遅らせるように調整してある。オールパスフィルタ２５を介したノイズとローパスフィルタ２５から直接ノイズ除去回路２７へ供給されたノイズは、ノイズ除去回路２７において相殺される。【選択図】図１
2010175530.tif 000002
【特許請求の範囲】
【請求項１】
渦電流探傷プローブの検出コイルの検出信号を検波する検波器にローパスフィルタを接続してキズ信号を取り出す渦電流探傷装置において、ローパスフィルタの出力を二分して一方は直接ノイズ除去回路へ接続し、他方はオールパスフィルタを介して除去回路へ接続してあり、オールパスフィルタはノイズの位相を１８０度遅らせるように設定してあることを特徴とする渦電流探傷装置。
【請求項２】
渦電流探傷プローブの検出コイルの検出信号を検波し、ローパスフィルタにより検波出力からキズ信号を取り出し、キズ信号を二分して一方は直接ノイズ除去回路へ供給するとともに他方はオールパスフィルタによりノイズの位相を１８０度遅らせてノイズ除去回路へ供給し、ノイズ除去回路においてノイズを相殺してキズ信号を取り出すことを特徴とする渦電流探傷方法。
【発明の詳細な説明】
【技術分野】
【０００１】
本願発明は、渦電流探傷プローブによって検出されたキズ信号からノイズを除去する回路を備えた渦電流探傷装置、その渦電流探傷装置による渦電流探傷方法に関する。
【背景技術】
【０００２】
渦電流探傷プローブを備えた渦電流探傷装置は、一般に渦電流探傷プローブの検出コイルによって検出した検出信号を同期検波し、その検波信号からローパスフィルタによりキズ信号を取り出している（例えば、特許文献１参照）。なおキズ信号は、被検査体のキズに起因して発生する信号で、被検査体にキズのあることを表す信号である。
【０００３】
図３により従来の渦電流探傷装置を説明する。
渦電流探傷装置は、励磁コイルＥＣと検出コイルＤＣからなる渦電流探傷プローブＰを備えている。励磁コイルＥＣには、励磁電源１１が接続されている。励磁コイルＥＣは、励磁電源１１の励磁電圧が印加されると、励磁電流が流れ、被検査体（図示せず）に渦電流が発生する（誘導する）。被検査体にキズがあるときは、その渦電流に乱れが生じ、その渦電流の乱れにより検出コイルＤＣに検出信号（高周波のキズ信号）が誘起する。
検出コイルＤＣの検出信号は、増幅器２１によって増幅し、同期検波器２２に供給する。同期検波器２２は、発振器２３から供給される搬送波（励磁電源１１の励磁電圧と同じ周波数）によって検出信号を検波し、検波出力を、ローパスフィルタ２４へ供給する。ローパスフィルタ２４は、検波出力からキズ信号ＦＳを取り出す。取り出されたキズ信号ＦＳは、図示しない評価回路等において処理され、キズ有無の判別等に使用される。
【先行技術文献】
【特許文献】
【０００４】
【特許文献１】特開平９−８００２８号公報
【発明の概要】
【発明が解決しようとする課題】
【０００５】
図３の渦電流探傷装置は、ローパスフィルタ２４により検波出力からキズ信号を取り出すが、ローパスフィルタ２４によりキズ信号の以外のノイズを完全に除去することは難しく、ローパスフィルタ２４により取り出されたキズ信号には、ノイズが含まれている。
本願発明は、従来の渦電流探傷装置のローパスフィルタの前記問題点に鑑み、ローパスフィルタの出力（キズ信号）に含まれているノイズを除去することを目的とする。
【課題を解決するための手段】
【０００６】
本願発明は、その目的を達成するため、請求項１に記載の渦電流探傷装置は、渦電流探傷プローブの検出コイルの検出信号を検波する検波器にローパスフィルタを接続してキズ信号を取り出す渦電流探傷装置において、ローパスフィルタの出力を二分して一方は直接ノイズ除去回路へ接続し、他方はオールパスフィルタを介して除去回路へ接続してあり、オールパスフィルタはノイズの位相を１８０度遅らせるように設定してあることを特徴とする。
請求項２に記載の渦電流探傷方法は、渦電流探傷プローブの検出コイルの検出信号を検波し、ローパスフィルタにより検波出力からキズ信号を取り出し、キズ信号を二分して一方は直接ノイズ除去回路へ供給するとともに他方はオールパスフィルタによりノイズの位相を１８０度遅らせてノイズ除去回路へ供給し、ノイズ除去回路においてノイズを相殺してキズ信号を取り出すことを特徴とする。
【発明の効果】
【０００７】
本願発明は、キズ信号を取り出すローパスフィルタにオールパスフィルタを接続し、オールパスフィルタによりノイズの位相を１８０度遅らせることにより、ノイズ除去回路においてローパスフィルタの出力に含まれるノイズを低減することができる。即ち従来の渦電流探傷装置は、ローパスフィルタを通してもノイズを完全に除去することはできなかったが、本願発明は、ローパスフィルタの出力に含まれるノイズを略除去することができる。
【図面の簡単な説明】
【０００８】
【図１】図１は本願発明の実施例に係る渦電流探傷装置の構成を示す。
【図２】図２は、図１の渦電流探傷装置のノイズ除去試験の結果を示す。
【図３】図３は  従来の渦電流探傷装置の構成を示す。
【発明を実施するための形態】
【０００９】
図１、図２により本願発明の実施例に係る渦電流探傷装置を説明する。
【実施例】
【００１０】
図１において、渦電流探傷プローブＰ、励磁電源１１、増幅器２１、同期検波器２２、発振器２３、ローパスフィルタ２４は、図２の渦電流探傷装置のものと同じであるから、それらの説明は省略する。
ローパスフィルタ２４の出力は、２分して一方は、直接ノイズ除去回路２７へ供給し、他方は、オールパスフィルタ２６、振幅調整回路２６を介してノイズ除去回路２７へ供給する。
オールパスフィルタは、振幅の周波数特性はフラットであるが、位相は周波数によって変化する性質を有している。一方キズ信号とノイズは、周波数が相違している。そこで本願発明は、オールパスフィルタの位相特性とノイズの周波数に着目して、キズ信号以外のノイズの位相を１８０度遅らすようにオールパスフィルタ２５を設定してある。キズ信号とノイズは、周波数が異なるから、ノイズの位相のみを遅らすことができる。
【００１１】
オールパスフィルタ２５の出力は、振幅調整回路２６においてノイズの振幅を調整してノイズ除去回路２７へ供給する。振幅調整回路２６は、振幅調整回路２６を通過したノイズの振幅が、ローパスフィルタ２４から直接ノイズ除去回路２７へ供給されるノイズの振幅と同じになるように調整する。
振幅調整回路２６を介してノイズ除去回路２７へ供給されるノイズは、ローパスフィルタ２４から直接ノイズ除去回路２７へ供給されるノイズと振幅が同じで、位相が１８０度相違しているから、両ノイズは、ノイズ除去回路２７において相殺される。したがってノイズ除去回路２７は、ローパスフィルタ２４の出力のキズ信号に含まれるノイズを低減することができ、その出力にはノイズの除去されたキズ信号ＦＳが現れる。
【００１２】
図２は、図１の渦電流探傷装置のノイズ除去試験の結果を示す。
図２（ａ）は、ローパスフィルタ２４の出力電圧のキズ信号とノイズの分布を、同様に図２（ｂ）は、オールパスフィルタ２５の出力電圧を、図２（ｃ）は、ノイズ除去回路２７の出力電圧を示す。
ノイズ除去回路２７の出力には、ローパスフィルタ２４の出力電圧に含まれるノイズは略除去されてキズ信号のみが現れる。即ちローパスフィルタ２４の出力電圧とオールパスフィルタ２５の出力電圧に含まれるノイズは、ノイズ除去回路２７において略相殺される。
以上のように図１の渦電流探傷装置は、ローパスフィルタ２４によって除去できないノイズを、ノイズ除去回路２７において略除去することができる。
【符号の説明】
【００１３】
１１  励磁電源
２１    増幅器
２２    同期検波器
２３    発振器
２４    ローパスフィルタ
２５    オールパスフィルタ
２６    振幅調整回路
２７    ノイズ除去回路
Ｐ    渦電流探傷プローブ
ＥＣ    励磁コイル
ＤＣ    検出コイル
【図３】
2010175530.tif 000003
【図１】
2010175530.tif 000004
【図２】
2010175530.tif 000005